(57)【要約】 【課題】  小型化、特に薄型化が図られるとともに、照射面から発光される光が均一な照明装置を提供する。【解決手段】  ケース１２の内部には電装部品を備え（図示せず）、平面型放電管１４がその下部に備えられており、この平面放電管１４の発光面１４′と略平行配置されるグローブ１３がケース１２と係止されている。この平面型放電管１４の発光面１４とグローブ１３の内面とは、所定距離ｄを隔てて配置されている。この照明装置は、例えば、家屋や車両等の天井１５に設置されて使用される。【選択図】          図７
2007141858.tif 000002
【特許請求の範囲】
【請求項１】
電装部品を内部に備えるケースと、
前記電装備品の下部に設置された平面型の放電管と、
前記放電管と前記電装部品を内部に収納して、前記ケースと係止されて固定されるグローブと、を備え、
前記放電管は、当該放電管の有する発光面と前記グローブの内面とが、所定距離を隔て略平行配置されて固定されるようにした照明装置。
【発明の詳細な説明】
【技術分野】
【０００１】
本発明は、照明装置に関し、例えば家庭用照明装置、車両用照明装置等の照明装置に関する。
【背景技術】
【０００２】
従来、例えば鉄道車両等の室内を照明する照明装置として特許文献１に示される構成が知られている。この照明装置は、室内の天井等に固定されるハウジングと、ハウジング内に固定された一対のソケットと、両ソケット間に支持された蛍光ランプと、蛍光ランプを覆うようにしてハウジング内に装着されたグローブとを備えている。蛍光ランプからの可視光はグローブを介して外部に照射するとともに、この光によって室内は照明される。
【０００３】
【特許文献１】特開平１０−２０８５２２
【発明の開示】
【発明が解決しようとする課題】
【０００４】
前記従来の照明装置においては、蛍光管またはソケットに合わせてハウジングの厚みが決定される。蛍光管及びソケットの小型化（縮径化）には限界があるので、それらを収納するハウジングの薄型化にも必然的に限界があった。特に、鉄道車両や自動車等の車両においては、室内空間をできる限り広く確保するために、照明装置の占有空間の拡大を抑制することが強く望まれていた。また、このような照明装置から照射される光は、蛍光管の配置によってムラがでるため、できる限りグローブ全体から均一に光が照射されることが要求されていた。
【０００５】
そこで、本発明は、上記課題を解決するためになされたものであって、その目的は、小型化、特に薄型化が図られるとともに、照射面から発光される光が均一な照明装置を提供することにある。
【課題を解決するための手段】
【０００６】
前記目的を達成するために、本発明のうちで請求項１に記載した照明装置は、
電装部品を内部に備えるケースと、前記電装備品の下部に設置された平面型の放電管と、
前記放電管と前記電装部品を内部に収納して、前記ケースと係止されて固定されるグローブと、を備え、前記放電管は、当該放電管の有する発光面と前記グローブの内面とが、所定距離を隔て略平行配置されて固定されることを特徴とする。
【発明の効果】
【０００７】
本発明のうち、請求項１の照明装置によれば、
発光素子として、平面型の放電管を使用しているので、従来に比べ薄型の照明装置とすることが可能となる。また、電装部品を平面型の放電管の非発光面側に配置しているので、発光面全体をグローブ全体に対向させるようにすることにより、グローブからの照射面全体から均一な照射光を得ることが可能となる。さらに、グローブ内面と平面型の放電管の発光面側との間には、所定間隔の空間が設けられて、これらが略平行配置されているため、グローブの温度上昇を抑制することができる。
【発明を実施するための最良の形態】
【０００８】
（第１の実施形態）
図１〜図１０は、本発明における第１の実施形態の照明装置１１を示した図である。図１は照明装置１１の斜視図、図２は正面図、図３は右側面図、図４は平面図、図５は底面図である。なお、左側面図は、右側面図と左右対称に表われるので省略している。
【０００９】
図６は図５におけるＡ−Ａ断面図、図７は図６におけるＢ−Ｂ部分拡大図、図８及び図９は参考底面図、図１０は使用状態を示す参考斜視図である。図２〜図７において、図中に示される破線の部分は、この照明装置１１のケース１２の部分を示しており、この形に限らず様々な形状が考えられる。これらの図面から理解できるように、この照明装置１１は、表面が略正方形状をしており、ほぼ表面全体からムラ無く均一な光が照射される。なお、図８または図９に示した参考底面図において、斜線の部分は印刷やエンボス加工等を施しており、透光性を有する。また、図９の参考底面図において、ハッチングの部分は、透明であることを示している。
【００１０】
図７に示すように、ケース１２の内部には電装部品を備え（図示せず）、平面型放電管１４がその下部に備えられており、この平面放電管１４の発光面１４′と略平行配置されるグローブ１３がケース１２と係止されている。この平面型放電管１４の発光面１４とグローブ１３の内面とは、所定距離ｄを隔てて配置されている。図１０に示すように、この照明装置は、例えば、家屋や車両等の天井１５に設置されて使用される。
【００１１】
従って、従来の照明装置と比較すると、平面型放電管１４を使用しているので、薄型の照明装置１１とすることが可能となる。また、電装部品を平面型の放電管の非発光面側に配置しているので、発光面全体をグローブ全体に対向させるようにすることにより、グローブ１３からの照射面全体から均一な照射光を得ることが可能となる。さらに、グローブ１３の内面と平面型の放電管の発光面側との間には、所定間隔ｄが設けられ、これらが略平行配置されているため、グローブの温度上昇を抑制することができる。
【００１２】
（第２の実施形態）
図１１〜図１９は、本発明における第２の実施形態の照明装置２１を示した図である。これらの図から把握できるように、この照明装置１２は、表面が略長方形状をしており、この点で第１の実施形態の照明装置１１とは異なるが、その他の基本的な構成および作用・効果はほぼ同様である。なお、図１８に示された斜線の部分は、第１の実施形態と同様、斜印刷やエンボス加工等を施しており、透光性を有することを示す。
【００１３】
（第３の実施形態）
図２０〜図２８は、本発明における第３の実施形態の照明装置３１を示した図である。これらの図から把握できるように、この照明装置１２は、表面が略円形状をしており、この点で第１および第２の実施形態の照明装置１１、２１とは異なるが、その他の基本的な構成および作用・効果はほぼ同様である。なお、図２７に示された斜線の部分は、第１および第２の実施形態と同様、斜印刷やエンボス加工等を施しており、透光性を有することを示す。
【００１４】
（応用例等）
ところで、本発明は上記の実施形態に限定するものではなく、本発明の要旨を変更しない範囲で様々な実施が可能である。上記実施形態においては、照明装置の表面形状が略正方形、略長方形、略円形の形状であるが、これらの実施形態に限定されることはなく、楕円形、正多角形、ひし形、平行四辺形等、様々な平面形状としても良い。
【図面の簡単な説明】
【００１５】
【図１】第１の実施形態における照明装置の斜視図である。
【図２】第１の実施形態における照明装置の正面図である。
【図３】第１の実施形態における照明装置の右側面図である。
【図４】第１の実施形態における照明装置の底面図である。
【図５】第１の実施形態における照明装置の平面図である。
【図６】図５におけるＡ−Ａ断面図である。
【図７】図６におけるＢ−Ｂ部分拡大図である。
【図８】第１の実施形態における照明装置の参考底面図である。
【図９】第１の実施形態における照明装置の参考底面図の別例である。
【図１０】第１の実施形態における使用状態を示す参考図である。
【図１１】第２の実施形態における照明装置の斜視図である。
【図１２】第２の実施形態における照明装置の正面図である。
【図１３】第２の実施形態における照明装置の右側面図である。
【図１４】第２の実施形態における照明装置の底面図である。
【図１５】第２の実施形態における照明装置の平面図である。
【図１６】図１５におけるＡ−Ａ断面図である。
【図１７】図１６におけるＢ−Ｂ部分拡大図である。
【図１８】第２の実施形態における照明装置の参考底面図である。
【図１９】第２の実施形態における使用状態を示す参考図である。
【図２０】第３の実施形態における照明装置の斜視図である。
【図２１】第３の実施形態における照明装置の正面図である。
【図２２】第３の実施形態における照明装置の右側面図である。
【図２３】第３の実施形態における照明装置の底面図である。
【図２４】第３の実施形態における照明装置の平面図である。
【図２５】図２４におけるＡ−Ａ断面図である。
【図２６】図２５におけるＢ−Ｂ部分拡大図である。
【図２７】第３の実施形態における照明装置の参考底面図である。
【図２８】第３の実施形態における使用状態を示す参考図である。
【符号の説明】
【００１６】
１１，２１，３１・・・照明装置、１２・・・ケース、１３・・・グローブ、１４・・・平面型放電管、１５・・・天井。
【図１】
2007141858.tif 000003
【図２】
2007141858.tif 000004
【図３】
2007141858.tif 000005
【図４】
2007141858.tif 000006
【図５】
2007141858.tif 000007
【図６】
2007141858.tif 000008
【図７】
2007141858.tif 000009
【図８】
2007141858.tif 000010
【図９】
2007141858.tif 000011
【図１０】
2007141858.tif 000012
【図１１】
2007141858.tif 000013
【図１２】
2007141858.tif 000014
【図１３】
2007141858.tif 000015
【図１４】
2007141858.tif 000016
【図１５】
2007141858.tif 000017
【図１６】
2007141858.tif 000018
【図１７】
2007141858.tif 000019
【図１８】
2007141858.tif 000020
【図１９】
2007141858.tif 000021
【図２０】
2007141858.tif 000022
【図２１】
2007141858.tif 000023
【図２２】
2007141858.tif 000024
【図２３】
2007141858.tif 000025
【図２４】
2007141858.tif 000026
【図２５】
2007141858.tif 000027
【図２６】
2007141858.tif 000028
【図２７】
2007141858.tif 000029
【図２８】
2007141858.tif 000030